(57)【特許請求の範囲】
【請求項１】
所定情報を表示する液晶部と、
前記液晶部の後方から該液晶部に光を照射する発光体とを備える携帯通信端末であって、
前記発光体の明るさを通常時よりも低くする特殊マナーモードを備え、
前記操作部は、加速度センサにより構成されており、
前記モード切替部は、前記加速度センサにより出力された出力量に基づいて、前記特殊マナーモードに切替えることを特徴とする携帯通信端末。
【請求項２】
前記特殊マナーモードは、着信報知ランプの点滅のみにより着信を報知することを特徴とする請求項１に記載の携帯通信端末。
【請求項３】
前記携帯通信端末のユーザの操作を受け付ける操作部と、
前記操作部により受け付けられた操作に基づいて、前記特殊マナーモードに切替えるモード切替部と
を備えることを特徴とする請求項１に記載の携帯通信端末。
【請求項４】
前記特殊マナーモードとは異なる動作を実行する他のマナーモードを備えることを特徴とする請求項１に記載の携帯通信端末。
【請求項５】
前記特殊マナーモードにおいて前記発光体は、前記所定情報が表示される領域にのみ光を照射することを特徴とする請求項１に記載の携帯通信端末。
【請求項６】
所定情報を表示する液晶部と、
前記液晶部の後方から該液晶部に光を照射する発光体とを備える携帯通信端末であって、
前記発光体の明るさを通常時よりも低くする特殊マナーモードを備え、
前記特殊マナーモードは、着信報知ランプの点滅のみにより着信を報知することを特徴とする携帯通信端末。
【請求項７】
前記携帯通信端末のユーザの操作を受け付ける操作部と、
前記操作部により受け付けられた操作に基づいて、前記特殊マナーモードに切替えるモード切替部と
を備えることを特徴とする請求項６に記載の携帯通信端末。
【請求項８】
前記特殊マナーモードとは異なる動作を実行する他のマナーモードを備えることを特徴とする請求項６に記載の携帯通信端末。
【請求項９】
前記特殊マナーモードにおいて前記発光体は、前記所定情報が表示される領域にのみ光を照射することを特徴とする請求項６に記載の携帯通信端末。
【発明の詳細な説明】
【技術分野】
【０００１】
本発明は、所定情報を表示する液晶部と、液晶部の後方から該液晶部に光を照射するバックライトとを備える携帯通信端末に関する。
【背景技術】
【０００２】
従来から、暗い場所において液晶部のバックライトの光量を増加させる一方で、明るい場所においてバックライトの光量を減少させる携帯通信端末が提案されている（例えば、特許文献１参照）。この場合には、携帯通信端末は周囲の明るさに応じてバックライトの光量を自動的に調整するため、携帯通信端末のユーザはバックライトの光量の調整の手間を省くことができる。また、暗い場所においてはバックライトの光量が増加されるため、その暗い場所においてもユーザは液晶部の文字を正確に判読することができる。
【特許文献１】特開平５−２６５４０１号公報
【発明の開示】
【発明が解決しようとする課題】
【０００３】
しかしながら、上記携帯通信端末では、映画館等の暗い「公共」の場所でもバックライトの光量が増加することとなり、当該バックライトからの光が他人の視界に入り易くなる。このため、当該携帯通信端末を映画館等の暗い公共の場所で使用すると、バックライトの光が邪魔となり、映画等を見ている他人に迷惑が掛かることがあった。
【０００４】
そこで、本発明は以上の点に鑑みてなされたものであり、映画館等の暗い公共の場所において携帯通信端末が使用された場合であっても、バックライトの光により他人に迷惑を掛けないようにすることができる携帯通信端末を提供することを目的とする。
【課題を解決するための手段】
【０００５】
本発明は、上記課題を解決するために、所定情報を表示する液晶部と、液晶部の後方から液晶部に光を照射する発光体とを備える携帯通信端末であって、発光体の明るさを通常時よりも低くする特殊マナーモードを備えることを特徴とする。
【０００６】
このような本発明の特徴によれば、携帯通信端末が特殊マナーモードに設定されることにより、発光体の明るさが通常時よりも低くなる。このため、映画館等の公共の場所において携帯通信端末が使用された場合であっても、発光体の光により他人に迷惑が掛からないようにすることができる。
【０００７】
上記発明においては、特殊マナーモードは、着信報知ランプの点滅のみにより着信を報知してもよい。
【０００８】
上記発明においては、携帯通信端末のユーザの操作を受け付ける操作部と、操作部により受け付けられた操作に基づいて、特殊マナーモードに切替えるモード切替部とが備えられてもよい。
【０００９】
上記発明においては、操作部は加速度センサにより構成されており、モード切替部は加速度センサにより出力された出力量に基づいて、特殊マナーモードに切替えてもよい。
【００１０】
上記発明においては、特殊マナーモードとは異なる動作を実行する他のマナーモードを備えてもよい。
【００１１】
上記発明においては、特殊マナーモードにおいて発光体は、所定情報が表示される領域にのみ光を照射してもよい。
【発明の効果】
【００１２】
本発明の特徴によれば、映画館等の暗い公共の場所において携帯通信端末が使用された場合であっても、バックライトの光により他人に迷惑を掛けないようにすることができる。
【発明を実施するための最良の形態】
【００１３】
（携帯通信端末の構成）
本実施形態について図面を参照しながら説明する。図１は、本実施形態における携帯通信端末１００の外観を示す図である。図２は、本実施形態における携帯通信端末１００の内部構成を示す図である。
【００１４】
図１及び図２に示すように、携帯通信端末１００は、操作部１０１と、液晶部１０３と、バックライト１０５と、通信部１０７と、音声出力部１０９と、着信音出力部１１１と、振動発生部１１３と、集音部１１５と、ＲＯＭ１１７と、ＲＡＭ１１９と、制御部１２１と、着信報知ランプ１２２とを備えている。これらの各部は、ＢＵＳ１２３により接続されている。
【００１５】
操作部１０１は、文字、記号、数字又は画像等の所定情報の入力操作を受け付けるとともに、現在のモードを各種マナーモードに設定するための入力操作を受け付けるものである。操作部１０１は、映画館用マナーモード設定キー１０１−１、美術館用マナーモード設定キー１０１−２等を備えている。
【００１６】
映画館用マナーモード設定キー１０１−１は、現在のモードを後述する映画館用マナーモード（特殊マナーモード）に設定するための入力操作を受け付けるものである。美術館用マナーモード設定キー１０１−２は、現在のモードを後述する美術館用マナーモードに設定するための入力操作を受け付けるものである。
【００１７】
液晶部１０３は、所定情報を表示するものである。バックライト１０５は、液晶部１０３の後方に備えられ、液晶部１０３の後方から液晶部１０３に光を照射するものである。通信部１０７は、携帯通信端末１００と他の機器との間で情報を送受信するものである。
【００１８】
なお、バックライト１０５は、発光体を構成する。また、バックライト１０５は、例えば自己発光する有機ＥＬ、ＬＥＤなどにより構成されてもよい。さらに、液晶部１０３及びバックライト１０５は、一体に構成されてもよく、例えば有機ＥＬなどにより構成されてもよい。
【００１９】
音声出力部１０９は、他の携帯通信端末（図示せず）の利用者の音声などを出力するものである。着信音出力部１１１は、他の携帯通信端末からの着信を音により報知するものである。振動発生部１１３は、他の携帯通信端末からの着信を振動により報知するものである。
【００２０】
集音部１１５は、携帯通信端末１００の利用者の音声を取得するものである。ＲＯＭ１１７は、携帯通信端末１００を動作させるためのプログラムなどを格納するものである。ＲＡＭ１１９は、制御部１２１により処理される情報を一時的に格納するものである。着信報知ランプ１２２は、点滅により着信を報知するものである。
【００２１】
制御部１２１は、映画館用マナーモード設定キー１０１−１が押圧されることにより、現在のモードを後述する映画館用マナーモードに設定する。この映画館用マナーモードは、低輝度モード、無着信音モード又は無振動モードを含んでいる。なお、制御部１２１は、モード切替部を構成する。
【００２２】
本実施形態における制御部１２１は、バックライト１０５の明るさを通常時よりも低くする低輝度モードを含む映画館用マナーモードを設定する。この「通常時」は、バックライト１０５の輝度が所定段階に設定されている時や、バックライト１０５の輝度が最大輝度の略中間に設定されている時であるものとするが、これに限定されないのは勿論のことである。なお、上記「明るさ」は、輝度であるとして説明するが、これに限定されずに照度であってもよい。
【００２３】
例えば、制御部１２１は、映画館用マナーモード設定キー１０１−１が押圧されることにより、液晶部１０３に表示される所定情報をユーザが判読可能な程度まで、通常時のバックライト１０５の輝度を低くする低輝度モードを含む映画館用マナーモードを設定する。
【００２４】
又は、制御部１２１は、映画館用マナーモード設定キー１０１−１が押圧されることにより、上記低輝度モードの他に、着信報知ランプ１２２の点滅のみにより着信を報知する無着信音モード（すなわち、音及び振動により着信を報知せずに着信報知ランプ１２２の点滅により着信を報知する無着信音モード）、及び振動により着信を報知しない無振動モードを含む映画館用マナーモードを設定する。
【００２５】
又は、制御部１２１は、美術館用マナーモード設定キー１０１−２が押圧されることにより、上記映画館用マナーモードとは異なる動作を実行する他のマナーモードを設定する。例えば、制御部１２１は、美術館用マナーモード設定キー１０１−２が押圧されることにより、少なくとも無着信音モード及び無振動モードを含む美術館用マナーモードを設定する。
【００２６】
（携帯通信端末の動作）
以下では各種モードが設定されるまでの処理についてのみ説明するが、それ以外の処理については従来の処理と同様であるため、詳細な説明は省略する。
【００２７】
次に、本実施形態における携帯通信端末１００の動作１について説明する。図３は、本実施形態における携帯通信端末１００の動作１を示す図である。ここでは、映画館用マナーモードが設定されるまでの処理について説明する。
【００２８】
図３に示すように、Ｓ１０１において、携帯通信端末１００は、映画館用マナーモード設定キー１０１−１が押圧されたか否か確認する。また、携帯通信端末１００は、この判定がＹＥＳである場合にはＳ１０３の処理に移り、ＮＯである場合には本処理を繰り返す。
【００２９】
Ｓ１０３において、携帯通信端末１００は、現在のモードを上記低輝度モードに設定する。図４（ａ）は通常時における液晶部１０３の内容を示し、図４（ｂ）は低輝度モードが設定された時における液晶部１０３の内容を示している。図４（ａ）に示すように、携帯通信端末１００は、低輝度モードを設定していない場合には、既に設定済みのバックライト１０５の輝度にする。
【００３０】
一方、図４（ｂ）に示すように、携帯通信端末１００は、現在のモードを低輝度モードに設定している場合には、ユーザにより所定情報を判読可能な程度まで、既に設定済みのバックライト１０５の輝度を低くする。なお、携帯通信端末１００は、再度、映画館用マナーモード設定キー１０１−１が押圧されることにより、設定されている映画館用マナーモードを解除する。
【００３１】
このような本実施形態によれば、低輝度モードを含む映画館用マナーモードを設定することにより、バックライトの輝度を通常時よりも低くする。このため、映画館等の公共の場所において携帯通信端末１００が使用された場合であっても、バックライト１０５の光により他人に迷惑を掛けないようにすることができる。
【００３２】
また、バックライトの輝度を決定する際に、携帯通信端末１００の周囲の明るさを測定するセンサを用いずに、映画館用マナーモード設定キー１０１−１などのキーを用いているため、上記センサ及びそのセンサの周辺回路を備えない分のコストを軽減することができるとともに、携帯通信端末１００の更なる小型化を図ることができる。
【００３３】
なお、本実施形態におけるバックライト１０５は、低輝度モードが設定されているか否かに関わらず、液晶部１０３に対応する全領域の後方から当該全領域に光を照射しているが、これに限定される訳ではない。
【００３４】
例えば、バックライト１０５は、液晶部１０３の全領域の後方に複数備えられる。そして、液晶部１０３の一部領域に表示される所定情報（例えば、図５に示す文字情報Ａ）の後方に備えられた複数のバックライト１０５は、低輝度モードが設定されることにより、当該所定情報にのみ光を照射する。
【００３５】
この場合には、バックライト１０５からの光が所定情報にしか照射されず、当該バックライト１０５からの光が他人の視界に入り難くなるため、携帯通信端末１００のユーザは、映画館等の暗い公共の場所において他人に迷惑を掛けることなく、所定情報を視認することができる。
【００３６】
次に、本実施形態における携帯通信端末１００の動作２について説明する。図６は、本実施形態における携帯通信端末１００の動作２を示す図である。図６に示すＳ２０１及びＳ２０３は上述した図３に示すＳ１０１及びＳ１０３と同様であるため、詳細な説明は省略する。
【００３７】
図６に示すように、Ｓ２０５において、携帯通信端末１００は、映画館用マナーモード設定キー１０１−１が押圧されることにより、現在のモードを上記無着信音モードに設定する。この場合には、他の携帯通信端末から着信があったとしても、着信音が着信音出力部１１１から出力されないこととなる。
【００３８】
Ｓ２０７において、携帯通信端末１００は、映画館用マナーモード設定キー１０１−１が押圧されることにより、現在のモードを上記無振動モードに設定する。この場合には、他の携帯通信端末から着信があったとしても、振動が振動発生部１１３から出力されないこととなる。
【００３９】
なお、携帯通信端末１００は、再度、映画館用マナーモード設定キー１０１−１が押圧されることにより、設定されている映画館用マナーモードを解除する。
【００４０】
このような本実施形態によれば、低輝度モードのみならず、無着信音モード及び無振動モードも含む映画館用マナーモードを設定することにより、着信を報知するための着信音や振動を出力しない。このため、映画館等の公共の場所において携帯通信端末１００から発生する着信音や振動により他人に不快感を与えさせないようにすることができる。また、携帯通信端末１００に着信があった場合には、ユーザは、着信履歴を参照することにより他人に迷惑を掛けることなく着信の事実を認識することができる。
【００４１】
さらに、映画館用マナーモード設定キー１０１−１をユーザが押圧するだけで、低輝度モード、無着信音モード及び無振動モードを一括して設定するため、ユーザは、低輝度モードや、無着信音モード及び無振動モードを逐一設定する必要がなくなり、映画館などにおいて必要なマナーモードを簡単な操作で設定することができる。
【００４２】
次に、本実施形態における携帯通信端末１００の動作３について説明する。図７は、本実施形態における携帯通信端末１００の動作３を示す図である。図７に示すように、Ｓ３０１において、携帯通信端末１００は、映画館用マナーモード設定キー１０１−１が押圧されたか否か確認する。また、携帯通信端末１００は、この判定がＹＥＳである場合にはＳ３０３の処理に移り、ＮＯである場合にはＳ３０５の処理に移る。
【００４３】
Ｓ３０３において、携帯通信端末１００は、上述した図３に示す映画館用マナーモード設定処理Ａ１又は上述した図６に示す映画館用マナーモード設定処理Ａ２を実行する。
【００４４】
Ｓ３０５において、携帯通信端末１００は、美術館用マナーモード設定キー１０１−２が押圧されたか否か確認する。また、携帯通信端末１００は、この判定がＹＥＳである場合にはＳ３０７の処理に移り、ＮＯである場合にはＳ３０９の処理に移る。
【００４５】
Ｓ３０７において、携帯通信端末１００は、美術館用マナーモード設定キー１０１−２が押圧されたことにより、少なくとも無着信音モード及び無振動モードを含む美術館用マナーモードを設定する。この場合には、他の携帯通信端末から着信があったとしても、着信音が着信音出力部１１１から出力されず、更には振動が振動発生部１１３から出力されないこととなる。
【００４６】
Ｓ３０９において、携帯通信端末１００は、他のマナーモード設定キーが押圧されたか否か確認する。また、携帯通信端末１００は、この判定がＹＥＳである場合にはＳ３１１の処理に移り、ＮＯである場合にはＳ３０１の処理に戻る。
【００４７】
Ｓ３１１において、携帯通信端末１００は、他のマナーモードを設定する。
【００４８】
なお、携帯通信端末１００は、再度、該当する設定キーが押圧されることにより、設定されている映画館用マナーモード、美術館用マナーモードやその他のマナーモードを解除する。
【００４９】
このような本実施形態によれば、無着信音モード及び無振動モードを含む美術館用マナーモードを設定することにより、着信を報知するための着信音や振動を出力しない。このため、静寂が保たれている美術館等において携帯通信端末１００から発生する着信音や振動により他人に不快感を与えさせないようにすることができる。また、携帯通信端末１００に着信があった場合には、ユーザは、着信履歴を参照することにより他人に迷惑を掛けることなく着信の事実を認識することができる。
【００５０】
（変更例）  
なお、本実施形態では、映画館用マナーモード設定キー１０１−１又は美術館用マナーモード設定キー１０１−２が押圧されることにより、映画館用マナーモード又は美術館用マナーモードが設定されるが、これに限定されずに以下に示す変更が加えられてもよい。
【００５１】
図８は、本変更例における携帯通信端末１００の内部構成を示す図である。図８に示すように、携帯通信端末１００は、図１に示す内部構成に加えて、加速度センサ１２５を備えてもよい。加速度センサ１２５は、少なくとも１軸方向に生じる加速度を測定するものである。なお、加速度センサ１２５は操作部を構成する。
【００５２】
制御部１２１は、加速度センサ１２５により出力された加速度の値（出力量）に基づいて、映画館用マナーモード又は美術館用マナーモードのうちのいずれか一方を設定又は解除する。例えば、制御部１２１は、加速度センサ１２５により出力された加速度の値が閾値を超えている場合には、映画館用マナーモード又は美術館用マナーモードのうちのいずれか一方を設定又は解除する。
【００５３】
図９は、本変更例における携帯通信端末１００の動作４を示す図である。ここでは、携帯通信端末１００がユーザによって振られることにより、映画館用マナーモードが設定されるまでの処理のみを説明するが、これに限定されずに、美術館用マナーモードなども設定可能であることは勿論のことである。
【００５４】
図９に示すように、Ｓ４０１において、携帯通信端末１００は、加速度センサ１２５により出力された加速度の値が閾値を超えたか否か確認する。また、携帯通信端末１００は、この判定がＹＥＳである場合にはＳ４０３の処理に移り、ＮＯである場合には本処理を繰り返す。
【００５５】
Ｓ４０３において、携帯通信端末１００は、映画館用マナーモードが実行されているか否か確認する。また、携帯通信端末１００は、この判定がＹＥＳである場合にはＳ４０５の処理に移り、ＮＯである場合にはＳ４０７の処理に移る。
【００５６】
Ｓ４０５において、携帯通信端末１００は、上述した図３に示す映画館用マナーモード設定処理Ａ１又は上述した図６に示す映画館用マナーモード設定処理Ａ２を解除する。
【００５７】
Ｓ４０７において、携帯通信端末１００は、上述した図３に示す映画館用マナーモード設定処理Ａ１又は上述した図６に示す映画館用マナーモード設定処理Ａ２を実行する。
【００５８】
このような本変更例によれば、ユーザは、携帯通信端末１００を振ることにより、映画館用マナーモード又は美術館用マナーモードのいずれかを瞬時に設定又は解除することができる。
【００５９】
以上、本発明の一例を説明したが、具体例を例示したに過ぎず、特に本発明を限定するものではなく、各部の具体的構成等は、適宜設計変更可能である。また、各実施形態の構成及び変更例の構成もそれぞれ組み合わせることが可能である。また、各実施形態及び変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【００６０】
【図１】本実施形態における携帯通信端末を示す外観図である。
【図２】本実施形態における携帯通信端末の内部構成を示す図である。
【図３】本実施形態における携帯通信端末の動作１を示す図である。
【図４】本実施形態における液晶部の内容を示す図である。
【図５】本実施形態における液晶部の内容を示す図である。
【図６】本実施形態における携帯通信端末の動作２を示す図である。
【図７】本実施形態における携帯通信端末の動作３を示す図である。
【図８】本変更例における携帯通信端末の内部構成を示す図である。
【図９】本変更例における携帯通信端末の動作４を示す図である。
【符号の説明】
【００６１】
１００…携帯通信端末、１０１…操作部、１０１−１…映画館用マナーモード設定キー、１０１−２…美術館用マナーモード設定キー、１０３…液晶部、１０５…バックライト、１０７…通信部、１０９…音声出力部、１１１…着信音出力部、１１３…振動発生部、１１５…集音部、１１７…ＲＯＭ、１１９…ＲＡＭ、１２１…制御部、１２２…着信報知ランプ、１２３…ＢＵＳ、１２５…加速度センサ
【図１】
0004463734.tif 000002
【図２】
0004463734.tif 000003
【図３】
0004463734.tif 000004
【図４】
0004463734.tif 000005
【図５】
0004463734.tif 000006
【図６】
0004463734.tif 000007
【図７】
0004463734.tif 000008
【図８】
0004463734.tif 000009
【図９】
0004463734.tif 000010